【事件の表示】
　特願２０１４−　９６６５６「トリボネクチン」拒絶査定不服審判事件〔平成２６年　８月１４日出願公開、特開２０１４−１４４０１５〕について、次のとおり審決する。
【結　論】
　本件審判の請求は、成り立たない。
【理　由】
第１　手続の経緯、本願発明 
　本願は、平成２６年５月８日の出願であって、平成１２年４月２４日を国際出願日とする特願２０００−６１４２７９号（パリ条約による優先権主張　平成１１年４月２３日　米国）の一部を特許法第４４条第１項の規定に基づき分割して新たな出願とした特願２０１１−２３４３４４号の一部を特許法第４４条第１項の規定に基づき分割して新たな出願としたものであり、平成２８年１月１５日付けで拒絶査定がなされ、同年５月１８日に拒絶査定不服審判の請求がなされたものである。
　本願の請求項１に係る発明は、願書に添付した外国語請求の範囲の翻訳文の請求項１に記載される以下のとおりのものであると認める。
　
「本明細書に記載のトリボネクチンまたは方法。」
　
　
第２　当審の判断
　本明細書には「トリボネクチン」に関して、以下の事項が記載されていると認められる。
「【０００６】
　従って、本発明は、トリボネクチンを提供する。トリボネクチンは、ＫＥＰＡＰＴＴ（配列番号３）と少なくとも５０％同一であるアミノ酸配列の少なくとも１つの反復を含む人工の境界潤滑剤である。トリボネクチンは、少なくとも１つのＯ結合型潤滑部分を含む。好ましくは、その潤滑部分は、β（１−３）Ｇａｌ−Ｇａｌ　ＮＡｃ部分である。天然に存在するトリボネクチンのタンパク質骨格のアミノ酸配列は、ヒト巨核球刺激因子（ＭＳＦ）遺伝子のエキソンの選択的スプライシングに依存して、異なり得る。例えば、トリボネクチンは、配列番号１のアミノ酸１〜２４および２００〜１４０４を含むが、配列番号１のアミノ酸２５〜１９９を欠損する。トリボネクチンは、配列番号１のアミノ酸１〜１５６および２００〜１４０４を含むが、配列番号１のアミノ酸１５７〜１９９を欠損する。トリボネクチンは、配列番号１のアミノ酸１〜１０６および２００〜１４０４を含むが、配列番号１のアミノ酸１０７〜１９９を欠損する。トリボネクチンは、配列番号１のアミノ酸１〜２５、配列番号１の６７〜１０６および配列番号１の２００〜１４０４を含むが、配列番号１のアミノ酸２６〜６６を欠損する。トリボネクチンは、精製された天然に存在するポリペプチドもしくは合成的に作製されたポリペプチドまたは組換えポリペプチドである。合成もしくは組換えトリボネクチンの骨格のアミノ酸配列は、天然に存在するトリボネクチンのアミノ酸配列と少なくとも５０％同一であり、そして、天然に存在するトリボネクチンの潤滑活性の少なくとも５０％を所有する。」
　
「　【００１９】
　本発明の特徴および利点は、本発明の好ましい実施形態の以下の記載および特許請求の範囲から明らかである。
　例えば、本発明は以下を提供する：
　　（項目１）　少なくとも１つのＯ結合型潤滑部分を含むトリボネクチン。
　　（項目２）　前記部分がβ（１−３）Ｇａｌ−ＧａｌＮＡｃ部分である、項目１に記載のトリボネクチン。
　　（項目３）　項目１に記載のトリボネクチンであって、該トリボネクチンは、配列番号１のアミノ酸１〜２４および２００〜１４０４を含み、配列番号１のアミノ酸２５〜１９９を欠失する、トリボネクチン。
　　（項目４）　項目１に記載のトリボネクチンであって、該トリボネクチンは、配列番号１のアミノ酸１〜１５６および２００〜１４０４を含み、配列番号１のアミノ酸１５７〜１９９を欠失する、トリボネクチン。
　　（項目５）　項目１に記載のトリボネクチンであって、該トリボネクチンは、配列番号１のアミノ酸１〜１０６および２００〜１４０４を含み、配列番号１のアミノ酸１０７〜１９９を欠失する、トリボネクチン。
　　（項目６）　項目１に記載のトリボネクチンであって、該トリボネクチンが、配列番号１のアミノ酸１〜２５、６７〜１０６および２００〜１４０４を含み、配列番号１のアミノ酸２６〜６６を欠失する、トリボネクチン。
　　（項目７）　ポリペプチドを含むトリボネクチンであって、該ポリペプチドのアミノ酸配列は、少なくとも１つのサブユニットを含むが７６個より少なく、ここで、
　（ａ）各サブユニットが少なくとも７個のアミノ酸を含み；そして
　（ｂ）該サブユニットのアミノ酸配列が、配列番号３に対して少なくとも５０％同一であり、ここで非同一アミノ酸が保存的アミノ酸置換である、
トリボネクチン。
　　（項目８）　前記サブユニットのアミノ酸配列が、配列番号３である、項目７に記載のトリボネクチン。
　　（項目９）　配列番号４のアミノ酸配列の１つ以上の繰り返しをさらに含む、項目７に記載のトリボネクチン。
　　（項目１０）　支持表面との間の摩擦係数を低減するとして特徴付けられる、項目１に記載のトリボネクチン。
　　（項目１１）　インビトロで支持表面との間の摩擦係数を低減するとして特徴付けられる、項目１に記載のトリボネクチン。
　　（項目１２）　インビボで支持表面との間の摩擦係数を低減するとして特徴付けられる、項目１に記載のトリボネクチン。
　　（項目１３）　前記トリボネクチンが添加される溶液の粘度を実質的に増大しない、項目１に記載のトリボネクチン。
　　（項目１４）　Ｏ結合型オリゴ糖を含む、項目７に記載のトリボネクチン。
　　（項目１５）　前記オリゴ糖が、Ｎ−アセチルガラクトサミン−ガラクトースである、項目１４に記載のトリボネクチン。
　　（項目１６）　前記トリボネクチンの少なくとも１０％がグリコシル化される、項目１に記載のトリボネクチン。
　　（項目１７）　前記トリボネクチンの少なくとも４０％がグリコシル化される、項目１に記載のトリボネクチン。
　　（項目１８）　前記トリボネクチンの分子量が、２００〜２８０ｋＤａの範囲である、項目１に記載のトリボネクチン。
　　（項目１９）　前記ポリペプチドが、巨核球刺激因子のフラグメントを含む、項目１に記載のトリボネクチン。
　　（項目２０）　前記ポリペプチドが、配列番号１に含まれる残基２００〜１１４０の配列と少なくとも５０％同一であるアミノ酸配列を含む、項目１に記載のトリボネクチン。
　　（項目２１）　前記ポリペプチドが、配列番号１に含まれる残基２００〜１１４０のアミノ酸配列を含む、項目１に記載のトリボネクチン。
　　（項目２２）　前記ポリペプチドが、配列番号１に含まれる残基２００〜１１６７の配列と少なくとも５０％同一であるアミノ酸配列を含む、項目１に記載のトリボネクチン。
　　（項目２３）　前記ポリペプチドが、配列番号１に含まれる残基２００〜１１６７のアミノ酸配列を含む、項目１に記載のトリボネクチン。
　　（項目２４）　前記ポリペプチドが、配列番号１に含まれる残基２００〜１２１２の配列と少なくとも５０％同一であるアミノ酸配列を含む、項目１に記載のトリボネクチン。
　　（項目２５）　前記ポリペプチドが、配列番号１に含まれる残基２００〜１２１２のアミノ酸配列を含む、項目１に記載のトリボネクチン。
　　（項目２６）　前記ポリペプチドが、配列番号１に含まれる残基２００〜１２６３の配列と少なくとも５０％同一であるアミノ酸配列を含む、項目１に記載のトリボネクチン。
　　（項目２７）　前記ポリペプチドが、配列番号１に含まれる残基２００〜１２６３のアミノ酸配列を含む、項目１に記載のトリボネクチン。
　　（項目２８）　前記ポリペプチドが、配列番号１に含まれる残基１〜２４のアミノ酸配列を欠失する、項目１に記載のトリボネクチン。
　　（項目２９）　前記ポリペプチドが、配列番号１に含まれる残基６７〜１０４のアミノ酸配列を欠失する、項目１に記載のトリボネクチン。」
　
　以上のとおり、本明細書には、天然トリボネクチンに加え、様々なトリボネクチンが記載されており、これらのトリボネクチンは、それぞれ異なるアミノ酸配列や異なるグリコシル化であるなど、異なる構造を有するものであると認められる。
　すなわち、本明細書には無数の異なるトリボネクチンが記載されているから、「本明細書に記載のトリボネクチン」と記載しても、いずれの構造ものを指しているか明らかでない。
　また「本明細書に記載の方法」が、本明細書に記載されるいかなる方法を指しているかも明らかでない。
　さらに、「トリボネクチンまたは方法」の記載は、物の発明と方法の発明というカテゴリーの異なる２つの発明を併記するものであり、請求項１に係る発明が物の発明と方法の発明のいずれを特定するものであるか明らかでない。
　したがって、請求項１に係る発明は明確でないから、この出願の特許請求の範囲の記載は、特許法第３６条第６項第２号に規定する要件に適合するものではない。
　
　
第３　むすび
　以上のとおり、この出願は特許法第３６条第６項第２号に規定する要件を満たしていないから、この出願は拒絶すべきものである。 
　よって、結論のとおり審決する。